(57)【要約】【課題】  高価な羽毛寝具を誰でも無理なく使用できることを可能にし、また、羽毛の再利用を可能にすることにより地球環境の保護に寄与する寝具のレンタルを可能とする。【解決手段】  レンタル対象となる寝具１２に取り付けて、それを特定する固有の管理コードの情報を保持させた情報保持媒体１３と、寝具の貸出先を特定する情報のほかに、寝具の使用環境に関する情報を管理コードと対応付けて記録するデータベース４〜６を備え、寝具を使用する寝室環境情報に基いて、寝室の室内推定温度を算出する手段と、算出された室内推定温度および寝具の使用者の情報に基づき、レンタル対象となる寝具を選定するに際し所定の寝床内環境を維持するに適した寝具の保温性能を算出する手段を有する家庭用レンタル寝具の管理システム。【選択図】      図１
2016149021.tif 000002
【特許請求の範囲】
【請求項１】
レンタル対象となる寝具に取り付けて、それを特定する固有の管理コードの情報を保持させた光学的又は電気的に情報を読みとり可能な情報保持媒体と、
寝具の貸出先を特定する情報のほかに、寝具の使用環境に関する情報を管理コードと対応付けて記録するデータベースを備え、
寝具の使用環境に関する情報には、
寝具の使用開始時期情報、
寝具を使用する寝室環境情報、
寝具の使用者の情報、
寝具のメンテナンス履歴情報、
を含み、
寝具を使用する寝室環境情報に基いて、寝室の室内推定温度を算出する手段と、
算出された室内推定温度および寝具の使用者の情報に基づき、レンタル対象となる寝具を選定するに際し所定の寝床内環境を維持するに適した寝具の保温性能を算出する手段、
を有することを特徴とする家庭用のレンタル寝具の管理システム。
【請求項２】
寝床内環境は寝床内の温度、または温度と湿度である請求項１記載の家庭用のレンタル寝具の管理システム。
【請求項３】
寝具の使用者の情報には、
寝具の使用者の生年月日情報、
寝具の使用者の家族情報、
を含む請求項１または２記載の家庭用のレンタル寝具の管理システム。
【請求項４】
寝具にはふとんを含む請求項１から３の何れかに記載の家庭用のレンタル寝具の管理システム。
【請求項５】
寝具にはブランケットを含む請求項１から４の何れかに記載の家庭用のレンタル寝具の管理システム。
【請求項６】
寝具にはタオルケットを含む請求項１から５の何れかに記載の家庭用のレンタル寝具の管理システム。
【請求項７】
寝具にはベッドパッドを含む請求項１から６の何れかに記載の家庭用のレンタル寝具の管理システム。
【請求項８】
寝具には枕を含む請求項１から７の何れかに記載の家庭用のレンタル寝具の管理システム。
【請求項９】
室内推定温度を算出するための寝室の情報は、
寝室の住所、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度のうちの一部または全部を含む請求項１から８の何れかに記載の寝具の選定支援システム。
【発明の詳細な説明】
【技術分野】
【０００１】
この発明は家庭用で使用する布団などの寝具のレンタルにおける管理システムに関し、特に高価な羽毛寝具を誰でも無理なく使用できることを可能とし、また、羽毛の再利用を可能にすることにより地球環境の保護に寄与することを可能にした管理システムに関する。
【背景技術】
【０００２】
寝具のレンタルの代表的なビジネスモデルとして明治時代以来の伝統がある「貸し布団」が周知である。これは、臨時に短期間寝具を借り受けるシステムであり、来客などがあり家庭にある寝具だけでは間に合わなかった場合、企業で臨時に社屋に社員が宿泊する場合、建築現場の仮設宿舎に作業員が宿泊する場合や、寺院に檀家や信者が宿泊する場合や、災害や天災時の仮設宿舎に被災者が宿泊する場合などに使用されている。
【０００３】
一方、ホテルや寮や病院などの不特定多数が宿泊する施設においても寝具のレンタルが広く利用されている。これは「繰り返しレンタル」と呼ばれるビジネスモデルであり、クリーニング済の同一規格のレンタル寝具をクリーニング期限のたびに定期的に交換するシステムである。
【０００４】
前記の「繰り返しレンタル」においては、レンタル状況をコンピュータ管理することが一般的であり、そのためにレンタル品を特定するためのバーコードを施した識別ラベルを付することが公知である（特許文献１）。この場合、レンタル対象が寝具である場合に生地にバーコードを折り込むことも公知である（特許文献２）。
【０００５】
また、寝具のレンタルに関し、レンタル期間の種類を、３ヶ月、６ヶ月、１年から３年とし、コンピュータによるデータベース上でレンタルの管理を行うシステムも公知である（特許文献３）。前記の特許文献にはレンタル期間が３ヶ月、６ヶ月の場合には期限満了の通知とともに、季節に適合した新しい寝具レンタル案内状を送付することや、１年から３年の場合にはクリーニングサービスを行なったり、不必要な時期の預かり保管サービスを行うようにし、必要なときに運送会社により発送し、顧客に納入することをコンピュータによるデータベース上で管理することが記載されている。
【０００６】
ところで、健康をそこなわず、かつ快適な睡眠を実現するためには、掛けふとんに代表される寝具に関し最適なものを使用することが肝要である。そこにおいて重要なことは、寝具の保温性能であり、寝室内の温度に対し寝具の保温性能が高過ぎると汗をかいて寝苦しく、逆に低過ぎると寒くて寝つけないこととなる。
【０００７】
ふとんの性能評価に関しては、昭和５８年度に工業技術院の「ふとんの規格体系調査委員会」が全日本わた寝装品製造業協同組合（現日本ふとん製造共同組合）を事務局として発足し、全国アンケート調査を行い、冬掛けふとんの要求度の高い順に「保温性」「弾力性」「重量」「吸放湿性」であるとの結論を得ている。そこで、日本睡眠環境学会と全日本寝具寝装品協会は、横浜国立大学にＪＩＳ化できる測定方法の開発を依頼し、「ふとんの保温性試験方法（ＪＩＳ−Ｌ１９１１）」「ふとんの弾力性試験方法（ＪＩＳ−Ｌ１９１４）」「ふとんの水分移動特性試験方法（ＪＩＳ−Ｌ１９１５）」を制定した（非特許文献１）。
【０００８】
また、ふとんの保温性の測定に関しては、それを安価かつ容易に測定できる保温性試験装置が開発され（特許文献４）、市販のふとんの保温性能をＴＯＧ値として特定できるようになった。ＴＯＧ値とは掛けふとんの性能で就寝時の発熱をふとんが逃さない度合いをデジタル化したものであり、１平方メートルあたり１ワットの熱量が布団を移動した際に、ふとんの両面の温度差を１０倍した値が１ＴＯＧとなる。すなわち、ＴＯＧ値が大きいほどふとんの保温性が高いことになる。
【０００９】
一方、快適と言われるふとんを掛けた時の中の環境（以下「寝床内環境」と称す。）は温度３３℃（±１℃）、相対湿度５５％ＲＨであることが実証されている（非特許文献２）。
【００１０】
さらに、最適な寝具の選定に関し、寝具を使用する者の寝室の情報に基づき、寝室の室内推定温度を算出し、算出された室内推定温度に基づき、所定の寝床内環境を維持するに適した寝具の保温性能を算出し、算出された寝具の保温性能を求める発明も公知である（特許文献５）。
【先行技術文献】
【特許文献】
【００１１】
【特許文献１】特開平５−２５９７号公報
【特許文献２】特開平９−２４５１４１号公報
【特許文献３】特開２００４−１４５６０１号公報
【特許文献４】特許第４０８６８５７号公報
【特許文献５】特開２０１４−１１７３４２公報
【非特許文献１】「睡眠と環境」、川島美勝他著、日本睡眠環境学会、９２−９８，２００２
【非特許文献２】「衣服内気候と衣服材料」、原田隆司、土田和義、丸山淳子共著、繊維工学学会誌Ｖｏ１．３５、Ｎｏ．８（１９８２）Ｐ．３０−３７
【発明の開示】
【発明が解決しようとする課題】
【００１２】
前記した従来のビジネスモデルの内、「繰り返しレンタル」は継続的なレンタルとなるので、顧客は恰も自分の寝具のように使用することができる。しかしながら、レンタル寝具自体は同一規格であるが、毎回異なる個体の寝具が短期間に繰り返し交換されるのでその本質は前記「貸し布団」と相違ない。
【００１３】
一方、特許文献３に記載の発明においては、寝具のレンタルは３ヶ月、６ヶ月、１年から３年とし、コンピュータによるデータベース上でレンタルの管理を行うが、レンタル期間終了後は異なる個体の寝具を新たにレンタルすることになるファイナンシャルリース的な色彩の濃いビジネスモデルである。また、前記発明においてデータベースに記録されるレンタル情報は顧客名、住所、電話番号、レンタル開始日、レンタル期間のみなので（同文献の図３）、レンタルの管理範囲はレンタルの満了通知と期間掲載に基づくクリーニングの勧誘通知に止まる。
【００１４】
ところで、近年、食生活の変化による羽毛を採取するための鳥の飼育量の減少、原産国による国内需要の増大、鳥インフルエンザなどの要因により輸入できる羽毛の量が減少し、それに円安が追い打ちをかけ羽毛が高騰し、それを使用した羽毛布団の価格が高騰する問題が生じている。
【００１５】
その結果、羽毛布団を購入するには多大の出費を要することになるが、前記「繰り返しレンタル」においてもレンタル寝具の調達費用が増大することよりレンタル費用も高騰することになる。これは、ファイナンシャルリース的な色彩の濃い特許文献３に記載の発明においても同様である。
【００１６】
この発明は以上の問題点に鑑みて創作されたものであり、高価な寝具を誰でも無理なく使用できることを可能とするとともに、利用者にとって常に最適な寝具を提供することを可能とした家庭用のレンタル寝具の管理システムを提供することを目的とする。
【課題を解決するための手段】
【００１７】
すなわち、この発明の家庭用のレンタル寝具の管理システムは、
レンタル対象となる寝具に取り付けて、それを特定する固有の管理コードの情報を保持させた光学的又は電気的に情報を読みとり可能な情報保持媒体と、
寝具の貸出先を特定する情報のほかに、寝具の使用環境に関する情報を管理コードと対応付けて記録するデータベースを備え、
寝具の使用環境に関する情報には、
寝具の使用開始時期情報、
寝具を使用する寝室環境情報、
寝具の使用者の情報、
寝具のメンテナンス履歴情報、
を含み、
寝具を使用する寝室環境情報に基いて、寝室の室内推定温度を算出する手段と、
算出された室内推定温度および寝具の使用者の情報に基づき、レンタル対象となる寝具を選定するに際し所定の寝床内環境を維持するに適した寝具の保温性能を算出する手段、
を有することを特徴とする。
【００１８】
ここに、寝床内環境とは寝床内の温度、または湿度を指す。また、この発明においては寝具としてふとんの他、ブランケット、タオルケットなど保温のために体に掛けるものなどや、これらに付随する枕などを想定している。
【００１９】
また、寝具の使用者の情報としては、
寝具の使用者の生年月日情報、
寝具の使用者の家族情報、
などが想定される。
【００２０】
また、室内推定温度を算出するための寝室の情報は、
寝室の住所のほかに、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度から選ばれる寝室情報の一部または全部が想定される。
【発明の効果】
【００２１】
以上の構成よりなるこの発明の家庭用のレンタル寝具の管理システムにおいては、レンタル対象となる寝具( 以下、「レンタル寝具」と称する。）を特定する管理コードを、単に寝具の貸出先を特定する情報だけでなく、寝具の使用環境に関する情報と対応付けてデータベースに記録するとともに、寝具を使用する寝室環境情報に基いて、寝室の室内推定温度を算出し、算出された室内推定温度および寝具の借り主の年令に基づき、所定の寝床内環境を維持するに適した寝具の保温性能を算出するので、レンタル開始に際して借り主に使用環境に応じた最適な寝具が提供されるこことなり、暑過ぎたり、寒過ぎたりする不適当な寝具が提供されることが防止される。
【００２２】
また、寝具の使用環境に関する情報には、
寝具を使用する寝室環境情報、
寝具の使用者の情報、
が含まれるので、例えば寝室環境情報として寝室の住所、住宅構造、寝室の広さ、寝室で寝ている人数を選定し、これらを更新していけば、引っ越し、家族の増減、加齢に応じてその時々に応じた最適な寝具を管理システムにおいて自動選定し借り主に提案でき、レンタル中に寝具を交換することにより、借り主は常に最適な寝具を使用することが可能となる。例えば、集合住宅から寝室の室内推定温度が低い戸建て住宅に引っ越した場合、温暖地から寝室の室内推定温度が低い寒冷地に引っ越した場合、加齢により寒がりな体質に変化した場合などはより保温力の高い寝具に交換することを借り主に提案でき、逆に結婚や出産により寝室で寝ている人数が増え体温により寝室の室内推定温度が高くなる場合は、従前より保温力を落とした寝具に交換することを借り主に提案できる。
【００２３】
また、寝具の使用環境に関する情報には、
寝具の使用開始時期情報、
寝具のメンテナンス履歴情報、
が含まれるので、レンタル寝具のクリーニング時期を管理システムにおいて自動計算し借り主に提案できる他、打ち直し時期も自動計算し借り主に提案できる。
【００２４】
以上の作用から、この発明の家庭用のレンタル寝具の管理システムによれば次の特有の効果を奏することが可能となる。
(1) レンタル寝具はそれに付された管理コードが寝具の使用環境に関する情報と紐付けてデータベースに記録されるので、顧客の特定とレンタル開始日、レンタル期間のみを管理する従来のシステムと異なり、経時的に推移したり、変化する寝具の使用環境に応じて、レンタル寝具をクリーニングや打ち直し、あるいは保温性能の異なるものへの交換など、その時々に応じた最適なコンデションに保つことができるので、従来では考えられなかった数十年という長期スパンのレンタルを可能にする。
(2) 長期スパンの寝具のレンタルは紙の上では可能であっても、長期のあいだに借り主と連絡がとれなくなったり、レンタル寝具が実情にそぐわなくなったり、疲労や損壊などに対応できないなどの理由により実現が困難であったが、前記したようにこの発明によればそれが可能となる。その結果、長期スパンで寝具を使用するには買い取りしか手段がなく、特に高価な羽毛布団には手が届きにくかった者も、一時に費用を要しないレンタルで高品質な羽毛布団を使用することが可能となる。
(3) 前記の場合、クリーニングなどの適切なメンテナンスをこの発明の管理システムからの案内により定期的に行い、また、中材である羽毛を再利用する１０数年ごとの打ち直しもこの発明の管理システムからの案内により定期的に行うことによりレンタル寝具の寿命を延ばすことができるので、長期間利用するほどレンタル料を軽減することが可能となる。
(4) 以上のように、この発明によれば、最終目的地が廃棄である消費を前提とする買い取りでなく、商品寿命の長期化および再利用を可能とする新たなレンタルの仕組みを構築することができる。その結果、資源が枯渇しつつある羽毛を有効活用でき、環境資源の保護により地球環境の保護に寄与できる。
(5) また、常に最適な保温性能を有す寝具を使用できることにより空調に過度に頼ることが防止され、ＣＯ２の削減も図ることにより地球環境の保護に寄与できる。
【図面の簡単な説明】
【００２５】
【図１】この発明の家庭用のレンタル寝具の管理システムのブロック図
【図２】同上、手順の流れを示すフローチャート
【図３】同上、貸し出し済み寝具データベースのテーブル図
【図４】同上、貸し出し先データベースのテーブル図
【図５】同上、メンテナンスデータベースのテーブル図
【図６】この発明の家庭用のレンタル寝具の管理システムを利用した寝具のレンタル業務の流れを示すフローチャート
【発明を実施するための最良の形態】
【００２６】
以下、この発明の具体的実施例を添付図面に基づいて説明する。図１はこの発明の家庭用のレンタル寝具の管理システム（以下、「レンタル寝具の管理システム」と略記する。）の実施例の全体のブロック図である。図中符号１は管理システムの管理センターサイトであり、２は一連の管理手順を実行するとともに、インターネットなどのネットワークを介して外部の端末やサーバと送受信するためのウエブサーバである。図中符号３は貸し出し済みの寝具の情報を記録する貸し出し済み寝具データベース、４は寝具の貸し出し先の情報を記録する貸し出し先データベース、５は貸し出し可能な寝具の情報を記録する寝具データベース、６は貸し出し済みの寝具のメンテナンス情報を記録するメンテナンスデータベース、７は管理システムの会計情報を記録する会計データベースであり、これらはリレーナルデータベースである。
【００２７】
図中符号１０はレンタル寝具の管理システムの事業者がシステム本部や各事業所で管理センターサイト１にアクセスしてレンタル事業を遂行するための事業者端末であり、ネットワーク８を介して管理センターサイトに接続される。図中符号９は寝室の室内推定温度を算出する際に気象情報を採取するためにアクセスする外部の気象サーバであり、ネットワーク８を介して管理センターサイト１に接続される。
【００２８】
図中符号１２はレンタル対象となる寝具を概念的に表したものであり、管理コードの情報を保持させた情報保持媒体１３が付加される。図中符号１１はレンタルの現場において前記情報保持媒体１３から管理コードの情報を読み取るためのハンディターミナルであり、前記事業者端末１０と有線または無線で接続される。
【００２９】
この発明のレンタル寝具の管理システムにおけるレンタル対象となる寝具１２としては、ふとんの他、ブランケット、タオルケット、ベッドパッド、枕などが想定されるが、前記したように高価な羽毛寝具に関しこの発明は特に有用である。この発明においてはこれらの寝具のレンタルにおいて、先ず固有の管理コードの情報を保持させた光学的又は電気的に情報を読みとり可能な情報保持媒体１３を寝具に取り付けることにより、レンタル対象となる各寝具をコード化する。このような情報保持媒体としてはＩＣチップやバーコードラベルが想定できるが、この実施例では布製のバーコードラベルを使用している。
【００３０】
物品のレンタルにおいて、レンタル物件を特定するために管理コードを付し、レンタル物件の貸し出し先を特定する連絡情報を管理コードと対応付けて記録することは周知であるが、この発明のレンタル寝具の管理システムにおいては、寝具の貸出先を特定する情報のほかに、寝具の使用環境に関する情報を管理コードと対応付けて記録するデータベースを備える点に特徴を有する。
【００３１】
前記の寝具の使用環境に関する情報には、
(1) 寝具の使用開始時期情報、
(2) 寝具を使用する寝室環境情報、
(3) 寝具の使用者の情報、
(4) 寝具のメンテナンス履歴情報、
〜などが含まれる。
【００３２】
また、前記(2) の寝室環境情報としては、寝室の住所のほかに、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度から選ばれる寝室情報の一部または全部が含まれる。
【００３３】
前記した各情報はレンタル契約時に新規入力される他、レンタル期間中に新規入力および更新されデータベース化される。図３は貸し出し済みの寝具の情報を記録する貸し出し済み寝具データベースのテーブルを示す図であり、ここでは各レンタル寝具に固有の寝具管理コードを行方向のデータ項目とし、貸し出し先のユーザＩＤ、寝具種別、寝具品質、使用開始日、耐用年数を列方向のデータ項目としている。
【００３４】
この内、寝具品質には例えば羽毛ふとんであれば、羽毛の品質、側生地の素材、内部構造、寸法、色などの一部または全部の他、後記する寝具の保温性能を表すＴＯＧ値が含まれる。これらのデータ項目はレンタル契約時に新規入力される。
【００３５】
図４は寝具の貸し出し先の情報を記録する貸し出し先データベースのテーブルを示す図であり、ここでは各レンタル寝具に固有の寝具管理コードを行方向のデータ項目とし、貸し出し先のユーザＩＤ、ユーザ名、住所／連絡先、世帯主情報、家族情報、寝室情報を列方向のデータ項目としている。
【００３６】
この内、世帯主情報、家族情報は具体的には寝具の使用者の年令や性別、家族構成などの寝具の使用者情報を構成する要素となる。また、寝室情報は例えば寝室の住所のほかに、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度から選ばれる情報の一部または全部が含まれる。ここに記録されるデータは所定の寝床内環境を維持するに適した寝具の保温性能を算出するために使用されるものであり、前記寝室情報により寝室の室内推定温度が算出され、これと寝具の使用者の情報に基づき、所定の寝床内環境を維持するに適した寝具の保温性能が算出される。これらのデータ項目はレンタル契約時に新規入力されるほか、住所／連絡先、世帯主情報、家族情報、寝室情報に関しては必要に応じレンタル期間中に更新入力される。
【００３７】
図５はレンタル寝具のメンテナンス情報を記録するメンテナンスデータベースのテーブルを示す図であり、ここでは各レンタル寝具に固有の寝具管理コードを行方向のデータ項目とし、レンタル寝具の使用開始日、メンテナンス履歴、コンディション、次回メンテナンス日、ユーザへの通知日、使用終期、交換履歴を列方向のデータ項目としている。
【００３８】
この内、メンテナンス履歴にはクリーニングや打ち直しなどの履歴を含み、コンディションにはメンテナンス時に預かった際にチェックした寝具の経時変化や傷みなどのコンディションが含まれ、交換履歴には要求される保温性能の変化によって異なる保温性能の寝具に交換したことの履歴を含む。また、次回メンテンナンス日はクリーニングや打ち直しなどの時期を自動計算して記録される。また、ユーザへの通知日はメンテナンス日の通知日や前記の貸し出し先データベースにおいて寝室情報や寝具の使用者の情報が更新された場合に、更新後のデータに基づいて所定の寝床内環境を維持するに適した寝具の保温性能を新たに算出し、ユーザーにそれに適した保温性能の寝具に交換することを勧めた通知日が記録される。
【００３９】
図２はこの発明のレンタル寝具の管理システムにおいて、レンタル対象となる寝具を選定するに際し所定の寝床内環境を維持するに適した寝具の保温性能を算出する手順を示すフローチャートである。
【００４０】
手順Ｓ２０〜手順Ｓ２１  
システムをスタートさせることにより、事業者端末の表示部のブラウザ画面上（図示せず）に寝具の貸し出し先の情報を入力するための貸し出し先情報入力画面が表示される。
【００４１】
手順Ｓ２２
前記の画面は貸し出し先の居住地の住所、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度に関し選択肢を有するものであり、貸し出し希望者がこれらのうちのそれぞれの数値や種類を選択することにより、貸し出し希望者が寝具を使用する寝室の情報が各データベースに記録される。
【００４２】
手順Ｓ２３〜手順Ｓ２５
寝室環境のうちの居住地の住所は寝室の外気温を決定するためのものであり、住所データを気象サーバ９に送出して検索することにより気象サーバから外気温データを得る。この場合、気象庁の既存の気象データベースを利用する場合は、郵便番号から住所を特定し最寄りの気象庁気象台を特定し、気象庁気象データベースから外気温データを取得し、郵便番号住所付近の外気温とする。なお、計算で使用する外気温度は午前５時時点の気温である。
【００４３】
手順Ｓ２６
前記の手順で得られた寝室の情報に基づいて、寝室の室内推定温度が算出される。具体的にはデータを以下の式に代入し室内推定温度を算出する。
室内推定温度＝定数＋（β１×外気温）＋（β２×空調機器）＋（β３×住宅構造）＋（β４×寝室の広さ）＋（β５×寝室の寝ている人数）＋（β６×時間帯）＋（β７月＋誤差) 
β及び誤差は被験者の実測数値から重回帰分析で得られた係数及び値である。
【００４４】
手順Ｓ２７〜手順Ｓ２８
前記の手順で得られた寝室の室内推定温度を以下の式に代入することにより、所定の寝床内環境を維持するに適した寝具の保温性能をＴＯＧ値として算出し、提示する。
保温性能（ＴＯＧ）＝（２３．６０８２４５ー０．６３０５０４５）×平均室温（℃）
【００４５】
手順Ｓ２９
寝具貸し出し希望者はここで寝具の種類を選択する。寝具がふとんである場合、選択する要素はふとんのサイズ、充填物の種類、生地の種類である。
【００４６】
手順Ｓ３０〜手順Ｓ３３
前記の手順で得られたＴＯＧ値と、ふとんの種類の情報は寝具の製品情報をその保温性能とともに収録した寝具データベース６に送られ。寝具データベース６では送られた情報を検索ワード条件として、これと合致する具体的な製品を検索し、レンタル寝具の選定が完了する。
【００４７】
図６はこの発明のレンタル寝具の管理システムを利用した寝具のレンタル業務の流れを示すフローチャートである。
【００４８】
手順Ｓ１〜手順Ｓ４
レンタル契約の受付に際しては貸し出し先情報を入力することにより、図２のフローチャートに沿って前記した手順により、所定の寝床内環境を維持するに適した寝具の保温性能を算出し、使用環境に応じた最適な寝具を選定する。
【００４９】
手順Ｓ５〜手順Ｓ６
前記により選定した寝具は在庫がある場合は直ちに、無い場合は生産して借り主に出荷することによりレンタルが開始される。
【００５０】
手順Ｓ７
レンタル期間中に記録してある貸し出し先情報が変更された場合は、変更になった貸し出し先情報に基づき、図２のフローチャートに沿って前記した手順に準じて所定の寝床内環境を維持するに適した寝具の保温性能を新たに算出し、使用環境に応じた最適な寝具を選定しレンタル寝具を交換する。
【００５１】
貸し出し先情報の変更は借り主からの申告により行う他、住所変更通知を受け取った時、登録してある借り主の世帯主の年令、性別から寝室環境変化予想時期を算出して、情報の変更の有無のお伺い通知を出して行ってもよい。これにより、引っ越し、家族の増減、加齢に応じてその時々に応じた最適な寝具を管理システムにおいて自動選定し借り主に提案でき、レンタル中に寝具を交換することにより、借り主は常に最適な寝具を使用することが可能となる。例えば、集合住宅から寝室の室内推定温度が低い戸建て住宅に引っ越した場合、温暖地から寝室の室内推定温度が低い寒冷地に引っ越した場合、加齢により寒がりな体質に変化した場合などはより保温力の高い寝具に交換することを借り主に提案でき、逆に結婚や出産により寝室で寝ている人数が増え体温により寝室の室内推定温度が高くなる場合は、従前より保温力を落とした寝具に交換することを借り主に提案できる。
【００５２】
手順Ｓ８
記録してある貸し出し先情報からレンタル寝具のクリーニング時期を自動計算し、クリーニングを行う。次期クリーニング時期は標準サイクルを初期値とする他、クリーニング時に採取したコンディション情報によっては次回クリーニング日を早めたり、遅くしたりしてもよい。
【００５３】
手順Ｓ９
記録してある貸し出し先情報からレンタル寝具の打ち直し時期を自動計算し、打ち直しを行う。次期打ち直し時期は標準サイクルを初期値とする他、打ち直し時に採取したコンディション情報によっては次回打ち直し日を早めたり、遅くしたりしてもよい。
【００５４】
手順Ｓ１０、手順Ｓ１１
レンタル契約を中途解約した場合や契約期間が終了した場合は、レンタル寝具の残存価値を算定した上で清算を行う。残存価値を算定にあたっては、現況のコンディションの他、メンテナンスデータベースに記録してあるメンテナンス履歴を参照する。
【００５５】
なお、保温性能の変更や破損や使用終期を迎えて交換したレンタル寝具は、新たな管理コードを付する他、新しいレンタル寝具に管理コードを引き継ぎ、交換履歴に記録してもよい。
【符号の説明】
【００５６】
１          管理センターサイト
２          ウエブサーバ
３          貸し出し済み寝具データベース
４          貸し出し先データベース
５          寝具データベース
６          メンテナンスデータベース
７          会計データベース
８          ネットワーク
９          気象サーバ
１０        事業者端末
１１        ハンディターミナル
１２        寝具
１３        情報保持媒体
【図１】
2016149021.tif 000003
【図２】
2016149021.tif 000004
【図３】
2016149021.tif 000005
【図４】
2016149021.tif 000006
【図５】
2016149021.tif 000007
【図６】
2016149021.tif 000008